(57)【要約】【課題】  複数の入力端子を備える表示装置であって、入力される画像のデータ形式が変更したことに応じて、表示用の画像の生成に必要な伝送路を切換えることが可能な表示装置及びその制御方法を提供することを目的とする【解決手段】  本発明の表示装置２００は、画像を表示する表示部２０５と、複数の画像信号を受信するための複数の入力端子２０１ａ〜ｄと、複数の入力端子２０１ａ〜ｄのうち、表示部２０５に画像を表示するために用いる入力端子を決定する端子決定部２０４と、端子決定部２０３が決定した入力手段を介して受信した画像信号に基づいて、表示部２０６に表示画像を表示する表示制御部２０４と、を備え、端子決定部２０３は、複数の画像信号がＲＡＷ画像であるか否かに応じて、表示部２０５に画像を表示するために用いる入力端子を決定することを特徴とする。【選択図】  図１
2018151482.tif 000002
【特許請求の範囲】
【請求項１】
画像を表示する表示手段と、
複数の画像信号を受信するための複数の入力手段と、
前記複数の入力手段のうち、前記表示手段に前記画像を表示するために用いる入力手段を決定する決定手段と、
前記決定手段が決定した入力手段を介して受信した画像信号に基づいて、前記表示手段に前記画像を表示する表示制御手段と、
を備え、
前記決定手段は、前記複数の画像信号がＲＡＷ画像であるか否かに応じて、前記表示手段に前記画像を表示するために用いる入力手段を決定することを特徴とする表示装置。
【請求項２】
前記複数の入力手段が受信した前記複数の画像信号がＲＡＷ画像であるか否かを判定する判定手段を備えることを特徴とする請求項１に記載の表示装置。
【請求項３】
前記判定手段は、前記複数の画像信号のうち少なくとも１つに付加されたメタデータに当該画像信号がＲＡＷ画像であることを示す情報が含まれている場合に、前記複数の入力手段が受信した前記複数の画像信号がＲＡＷ画像であると判定することを特徴とする請求項２に記載の表示装置。
【請求項４】
前記判定手段は、前記複数の画像信号それぞれの画素値がＲＧＢで指定されている場合に、前記複数の入力手段が受信した前記複数の画像信号がＲＡＷ画像であると判定することを特徴とする請求項２または３に記載の表示装置。
【請求項５】
前記判定手段は、前記複数の画像信号のうち少なくとも１つに付加されたタイムコードが判定時の時刻よりも所定の期間以上、過去の時刻である場合に、前記複数の入力手段が受信した画像信号がＲＡＷ画像でないと判定することを特徴とする請求項２乃至請求項４のいずれか１項に記載の表示装置。
【請求項６】
前記判定手段は、前記複数の画像信号のうち少なくとも１つの信号のデータ形式が、３Ｄ−ＳＤＩ形式である場合に、前記複数の入力手段が受信した画像信号がＲＡＷ画像でないと判定することを特徴とする請求項２乃至請求項５のいずれか１項に記載の表示装置。
【請求項７】
前記判定手段は、前記複数の画像信号のいずれもメタデータが付加されている場合に、前記複数の入力手段が受信した前記複数の画像信号がＲＡＷ画像であると判定することを特徴とする請求項２に記載の表示装置。
【請求項８】
前記複数の画像信号を出力する出力装置の種類を取得する取得手段をさらに有し、
前記判定手段は、前記取得手段が取得した前記出力装置の種類に応じて、前記複数の入力手段が受信した前記複数の画像信号がＲＡＷ画像であるか否かを判定する方法を切換えることを特徴とする請求項２乃至請求項６のいずれか１項に記載の表示装置。
【請求項９】
前記複数の画像信号がＲＡＷ画像である場合、前記決定手段は、前記複数の入力手段のうち、第１入力手段と第２入力手段とを、前記表示手段に前記画像を表示するために用いる入力手段と決定し、
前記表示制御手段は、前記第１入力手段に入力された画像信号と、前記第２入力手段に入力された画像信号とに対して、ＲＡＷ現像処理を施して生成した表示画像を用いて、前記表示手段に前記画像を表示することを特徴とする請求項１乃至請求項７のいずれか１項に記載の表示装置。
【請求項１０】
前記複数の画像信号がＲＡＷ画像でない場合、前記表示制御手段は、前記複数の画像信号を合成して生成した表示画像を用いて、前記表示手段に前記画像を表示することを特徴とする請求項１乃至請求項８のいずれか１項に記載の表示装置。
【請求項１１】
画像を表示する表示手段と、複数の画像信号を受信するための複数の入力手段と、を備える表示装置の制御方法であって、
前記複数の入力手段のうち、前記表示手段に前記画像を表示するために用いる入力手段を決定する決定工程と、
前記決定工程で決定された入力手段を介して受信した画像信号に基づいて、前記表示手段に前記画像を表示する表示制御工程と、
を備え、
前記決定工程は、前記複数の画像信号がＲＡＷ画像であるか否かに応じて、前記表示手段に前記画像を表示するために用いる入力手段を決定することを特徴とする表示装置。
【請求項１２】
前記複数の入力手段が受信した前記複数の画像信号がＲＡＷ画像であるか否かを判定する判定工程を備えることを特徴とする請求項１１に記載の表示装置の制御方法。
【請求項１３】
前記判定工程は、前記複数の画像信号のうち少なくとも１つに付加されたメタデータに当該画像信号がＲＡＷ画像であることを示す情報が含まれている場合に、前記複数の入力手段が受信した前記複数の画像信号がＲＡＷ画像であると判定することを特徴とする請求項１２に記載の表示装置の制御方法。
【請求項１４】
前記判定工程は、前記複数の画像信号それぞれの画素値がＲＧＢで指定されている場合に、前記複数の入力手段が受信した前記複数の画像信号がＲＡＷ画像であると判定することを特徴とする請求項１２または１３に記載の表示装置の制御方法。
【請求項１５】
前記判定工程は、前記複数の画像信号のうち少なくとも１つに付加されたタイムコードが判定時の時刻よりも所定の期間以上、過去の時刻である場合に、前記複数の入力手段が受信した画像信号がＲＡＷ画像でないと判定することを特徴とする請求項１２乃至請求項１４のいずれか１項に記載の表示装置の制御方法。
【請求項１６】
前記判定工程は、前記複数の画像信号のうち少なくとも１つの信号のデータ形式が、３Ｄ−ＳＤＩ形式である場合に、前記複数の入力手段が受信した画像信号がＲＡＷ画像でないと判定することを特徴とする請求項１２乃至請求項１５のいずれか１項に記載の表示装置の制御方法。
【請求項１７】
前記判定工程は、前記複数の画像信号にメタデータが付加されている場合に、前記複数の入力手段が受信した前記複数の画像信号がＲＡＷ画像であると判定することを特徴とする請求項１２乃至請求項１６のいずれか１項に記載の表示装置の制御方法。
【請求項１８】
前記複数の画像信号を出力する出力装置の種類を取得する取得工程をさらに有し、
前記判定工程は、前記取得工程で取得した前記出力装置の種類に応じて、前記複数の入力手段が受信した前記複数の画像信号がＲＡＷ画像であるか否かを判定する方法を切換えることを特徴とする請求項１２乃至請求項１７のいずれか１項に記載の表示装置の制御方法。
【請求項１９】
前記複数の画像信号がＲＡＷ画像である場合、前記決定工程は、前記複数の入力手段のうち、第１入力手段と第２入力手段とを、前記表示手段に前記画像を表示するために用いる入力手段と決定し、
前記表示制御工程は、前記第１入力手段に入力された画像信号と、前記第２入力手段に入力された画像信号とに対して、ＲＡＷ現像処理を施して生成した表示画像を用いて、前記表示手段に前記画像を表示することを特徴とする請求項１１乃至請求項１８のいずれか１項に記載の表示装置の制御方法。
【請求項２０】
前記複数の画像信号がＲＡＷ画像でない場合、前記表示制御工程は、前記複数の画像信号を合成して生成した表示画像を用いて、前記表示手段に前記画像を表示することを特徴とする請求項１１乃至請求項１９のいずれか１項に記載の表示装置の制御方法。
【請求項２１】
請求項１１から請求項２０までのいずれか１項に記載の表示装置の制御方法の各工程をコンピュータに実行させるためのプログラムが格納されたコンピュータが読取り可能な記憶媒体。
【請求項２２】
請求項１１から請求項２０までのいずれか１項に記載の表示装置の制御方法の各工程をコンピュータに実行させるためのプログラム。
【発明の詳細な説明】
【技術分野】
【０００１】
本発明は、複数の入力端子を備える表示装置、その制御方法、その制御方法を実現するためのプログラム、およびそのプログラムを記憶する記憶媒体に関する。
【背景技術】
【０００２】
従来、映像制作の過程において、カメラ等の撮像装置で被写体を撮影している状態で、撮像装置に接続した表示装置で、撮影中の画像を確認することがある。近年、撮像装置や、表示装置の機能向上により、従来よりも高解像度の画像を扱うことが増えている。
【０００３】
撮像装置が扱うことが可能な画像データ形式は、Ｒａｗ  Ｉｍａｇｅ  Ｆｏｒｍａｔ（ＲＡＷ）形式や、ＪＰＥＧ形式等がある。撮像装置には、撮影時（記録時）には記録処理以外の処理（画像処理）の手間を省くためＲＡＷ形式の画像（ＲＡＷ画像）を出力し、再生時には記録したＲＡＷ画像に現像処理を施して生成した画像（非ＲＡＷ画像）を出力するものがある。
【０００４】
また、撮像装置が出力する画像のデータ形式に応じて、伝送に用いる伝送路の数が異なる場合がある。例えば、解像度が３８４０×２１６０、フレームレート６０Ｐの画像は、ＲＡＷ形式では２つの伝送路で伝送可能である一方、非ＲＡＷ形式では、４つの伝送路を用いて伝送する必要がある。
【０００５】
撮像装置が複数の伝送路を用いて画像を伝送する場合、撮像装置と接続した表示装置は、複数の伝送路に対応する複数の入力端子を介して得られた画像信号を用いて、表示用の画像を生成して画像を表示する。
【０００６】
特許文献１に記載のセレクタ装置は、接続した外部機器の再生状態に応じて、入力端子を切換えることが開示されている。
【先行技術文献】
【特許文献】
【０００７】
【特許文献１】特開２００７−１２１８７６号公報
【発明の概要】
【発明が解決しようとする課題】
【０００８】
しかしながら、上述した従来の技術では、撮像装置から出力される画像のデータ形式が変更したことによる伝送路の数の変更に応じて、表示用の画像の生成に必要な伝送路を切換えることができない。
【０００９】
そこで、本発明は、複数の入力端子を備える表示装置であって、入力される画像のデータ形式が変更したことに応じて、表示用の画像の生成に必要な伝送路を切換えることが可能な表示装置及びその制御方法を提供することを目的とする。
【課題を解決するための手段】
【００１０】
上述した課題を解決するために、本発明の一実施形態に係る表示装置は、画像を表示する表示手段と、複数の映像信号を受信するための複数の入力手段と、前記複数の入力手段のうち、前記表示手段に前記画像を表示するために用いる入力手段を決定する決定手段と、前記決定手段が決定した入力手段を介して受信した映像信号に基づいて、前記表示手段に前記画像を表示する表示制御手段と、を備え、前記決定手段は、前記複数の映像信号がＲＡＷ信号であるか否かに応じて、前記表示手段に前記画像を表示するために用いる入力手段を決定することを特徴とする表示装置。
【発明の効果】
【００１１】
本発明によれば、複数の入力端子を備える表示装置であって、入力される画像のデータ形式が変更したことに応じて、表示用の画像の生成に必要な伝送路を切換えることが可能な表示装置及びその制御方法を提供することを目的とする。
【図面の簡単な説明】
【００１２】
【図１】表示装置と出力装置とケーブルとで構成される表示システムの構成を示す装置構成図である。
【図２】出力装置と表示装置との機能ブロックを示すブロック図である。
【図３】判定テーブルを示す模式図である。
【図４】表示装置の実行する表示画像出力フローを示すフローチャートである。
【発明を実施するための形態】
【００１３】
以下、図面を用いて本発明の実施の形態について説明する。なお、本発明の技術的範囲は、特許請求の範囲によって確定され、以下に例示する実施形態によって限定されるものではない。また、実施形態の中で説明されている特徴の組み合わせすべてが本発明に必須とは限らない。本明細書および図面に記載の内容は例示であって、本発明を制限するものと見なすべきではない。本発明の趣旨に基づき種々の変形が可能であり、それらを本発明の範囲から除外するものではない。即ち、各実施形態及びその変形例を組み合わせた構成も全て本発明に含まれるものである。
【００１４】
（第１の実施例）
図１は、表示装置２００と、表示装置２００に映像信号を出力する出力装置１００と、出力装置１００と表示装置２００とを接続するケーブル３００で構成される表示システムの構成を示す装置構成図である。
【００１５】
出力装置１００は、画像を、複数のケーブル３００を介して表示装置２００に出力する出力装置である。例えば、出力装置１００は、デジタルカメラ等の撮像装置であるとする。出力装置１００は、ＲＡＷ  Ｉｍａｇｅ  Ｆｏｒｍａｔ形式（ＲＡＷ形式）の画像（ＲＡＷ画像）を、出力装置１００が備える記憶媒体に画像を記憶する。また、出力装置１００は、撮影中に、ＲＡＷ形式の画像（ＲＡＷ画像）を出力するとする。また、出力装置１００は、出力装置１００に記憶された画像を出力する場合には、記憶媒体に記憶されたＲＡＷ画像を現像した非ＲＡＷ形式の画像（非ＲＡＷ画像）を出力するとする。
【００１６】
また、出力装置１００は、高解像度の画像を伝送するために複数の出力端子を備える。例えば、出力装置１００は、４つの出力端子を備えるとする。映像出力装置は、ＲＡＷ信号で画像を出力する場合と、非ＲＡＷ信号で画像を出力する場合とで、使用する伝送路の数が異なる。例えば、６０Ｈｚのプログレッシブ（６０Ｐ）のフレームレートで、水平有効画素数３８４０かつ垂直有効ライン数２１６０（３８４０×２１６０）の解像度の画像を伝送するとする。ＲＡＷ画像としてこの画像を送信する場合、出力装置１００は、解像度３８４０×２１６０、フレームレート３０Ｐの２つのＲＡＷ画像を生成して伝送する。出力装置１００は、この時、４つの出力端子のうち少なくとも２つの出力端子を用いて、画像を伝送する。
【００１７】
一方、非ＲＡＷ画像としてこの画像を送信する場合、出力装置１００は、例えば、画像を４分割した解像度１９２０×１０８０、フレームレート６０Ｐの非ＲＡＷ画像を生成して伝送する。出力装置１００は、この時、４つの出力端子から、それぞれの信号を伝送する。出力装置１００が、画像を出力する方法については、後述する。
【００１８】
なお、出力装置１００は、外部の撮像装置と接続し、記憶媒体を備えるレコーダであってもよい。レコーダは、撮像装置から取得した映像を記録する場合、撮像装置から取得したＲＡＷ画像を出力し、記憶媒体に保存された画像を出力する場合、非ＲＡＷ画像を出力するとする。
【００１９】
表示装置２００は、複数の入力端子を備え、入力された複数の映像信号に基づいて、画像を表示する表示装置である。例えば、表示装置２００は、液晶ディスプレイであるとする。なお、表示装置２００は、画面に画像を投影するプロジェクタであってもよい。例えば、表示装置２００は、４つの入力端子を備えるとする。
【００２０】
ケーブル３００は、出力装置１００と表示装置２００とを接続し、映像信号を伝送するためのインターフェースケーブルである。ケーブル３００は、出力装置１００の出力端子と表示装置２００の入力端子とに応じた伝送経路を有する。例えば、ケーブル３００は、４つの伝送路３０１ａ〜ｄを含むとする。
【００２１】
図２は、出力装置１００と、表示装置２００と、の機能ブロックを示すブロック図である。図２（ａ）は、出力装置１００の機能ブロックを示すブロック図である。出力装置１００は、撮像部１０１、画像処理部１０２、制御部１０３、メモリ１０４、操作部１０５、および出力端子１０６ａ〜１０６ｄを備える。
【００２２】
撮像部１０１は、被写体を撮影して得られる原画像を出力する撮像手段である。撮像部１０１は、レンズを含む光学系、光学系を透過した光を検出する撮像センサ、光学系と撮像センサとを制御する撮像制御回路、および、撮像センサから出力された信号に基づいて原映像信号を出力する出力回路を備える。撮像部１０１は、従来のデジタルカメラ等の撮像装置が有するものと同様であるので、詳細な説明を省略する。
【００２３】
撮像部１０１は、制御部１０３からＲＡＷ記録設定情報、解像度の設定情報、およびフレームレートの設定情報を取得する。ＲＡＷ記録設定情報は、取得した原画像をＲＡＷ画像として出力するか否かを示す情報である。解像度の設定情報は、出力する画像の解像度を示す情報である。フレームレートの設定情報は、撮像部１０１から画像を出力する速度（フレームレート）を示す情報である。撮像部１０１は、これらの設定情報に基づいて、撮像センサで取得した原画像を、設定されたフレームレートで、設定された解像度のＲＡＷ画像もしくは非ＲＡＷ画像として、画像処理部１０２に出力する。
【００２４】
画像処理部１０２は、撮像部１０１から出力された画像に基づいて、各出力端子１０６ａ〜１０６ｄから出力する画像信号を生成する処理を実行する。画像処理部１０２は、出力端子１０６、入力端子２０１、およびケーブル３００からなる伝送路が伝送可能な帯域に応じて、変換する信号のフレームレートや画素数（解像度）を決定する。
【００２５】
例えば、１つの伝送路は、解像度３８４０×２１６０のＲＡＷ画像をフレームレート３０Ｐで伝送可能であるとする。撮像部１０１から解像度３８４０×２１６０のＲＡＷ画像がフレームレート３０Ｐで出力される場合、そのまま各伝送路で伝送可能なため、画像処理部１０２は、出力端子１０６ａ〜１０６ｄに、同一の画像信号を出力する。
【００２６】
また、撮像部１０１から解像度３８４０×２１６０のＲＡＷ画像を、フレームレート６０Ｐで出力される場合、画像処理部１０２は、解像度３８４０×２１６０、フレームレート３０Ｐの２つのＲＡＷ画像に対応する２つのＲＡＷ信号に分割して出力する。このとき、画像処理部１０２は、出力端子１０６ａおよび１０６ｃにＲＡＷ信号Ａを出力し、出力端子１０６ｂおよび１０６ｄにＲＡＷ信号Ｂを出力するとする。
【００２７】
また、撮像部１０１が、ＲＡＷ現像後の解像度３８４０×２１６０の非ＲＡＷ画像を出力する場合、画像処理部１０２は、解像度１９２０×１０８０の４つの非ＲＡＷ画像に分割して、出力端子１０６ａ〜１０６ｄに出力するとする。また、画像処理部１０２は、メモリ１０４に記憶された画像を出力する（再生出力）する場合、非ＲＡＷ画像を出力するとする。
【００２８】
例えば、画像処理部１０２は、ＲＡＷ画像として画像を出力する場合、各画素の階調値をＲＧＢ形式で出力するとする。また、画像処理部１０２は、非ＲＡＷ画像として画像を出力する場合、各画素の階調値をＹＣＣ形式で出力するとする。
【００２９】
また、画像処理部１０２が出力する画像信号は、画像の各画素値を示す画像データと、画像データに付加された画像の特性を示すメタデータとを含む。例えば、画像処理部１０２は、画像における１ライン分の画像データと次の１ライン分の画像データとが伝送される間に、メタデータが伝送されるように、画像信号を構成するとする。
【００３０】
メタデータは、例えば、原画像の解像度を示す情報、フレームレートを示す情報、画素の色を指定する形式を示す情報、画像が取得された時刻を示すタイムコードを示す情報、出力装置１００の機種を示す情報、および出力装置１００の状態を示す情報等を含む。画素の色を指定する形式を示す情報は、例えば、画像信号に記述された画素値が、Ｒ（赤色）、Ｇ（緑色）、Ｂ（青色）で示されるか、Ｙ（輝度）、Ｃｒ（色差）、Ｃｂ（色差）で示されるか等を示す情報である。
【００３１】
なお、画像処理部１０２は、原画像を分割して各出力端子から出力する場合、メタデータとして、各出力端子から出力される画像信号について個別に、出力する画像信号の順番を示す端子情報を付与するとする。画像信号の順番は、複数の画像信号を受信した装置が、原画像を表示する場合に、複数の画像信号を合成するために必要な情報である。例えば、１つの画像を田の字状に４分割して伝送した場合、画像信号の順番は、各画像信号の原画像における位置を示す順番情報である。また、フレームレート６０Ｐで出力された原画像を、交互に間引き、フレームレート３０Ｐの２つの画像信号で出力した場合、画像信号の順番は、時間方向に２つの画像信号を並べ直す場合の順番を示す情報である。
【００３２】
制御部１０３は、メモリ１０４に記憶されたプログラムを実行して、撮像部１０１および画像処理部１０２の制御を行う演算処理回路である。例えば、制御部１０３は、Ｃｅｎｔｒａｌ  Ｐｒｏｃｅｓｓｉｎｇ  Ｕｎｉｔ（ＣＰＵ）であるとする。制御部１０３は、メモリ１０４に記憶されたＲＡＷ記録設定情報、解像度の設定情報、およびフレームレートの設定情報などの撮影設定情報に応じて、撮像部１０１の動作を制御する処理を行う。なお、これらの設定情報は、ユーザが非図示の入力インターフェースを介して設定することが可能である。
【００３３】
メモリ１０４は、制御部１０３が各機能ブロックを制御するために用いるプログラムやパラメータを記憶する記憶媒体である。メモリ１０４は、ハードディスク等の不揮発性の記憶媒体や、半導体メモリ等の揮発性の記憶媒体である。
【００３４】
操作部１０５は、ユーザがＲＡＷ記録設定やフレームレートや解像度等の設定情報、録画再生指示などを入力するためのユーザーインターフェースである。
【００３５】
出力端子１０６ａ〜１０６ｄは、それぞれ画像処理部１０２から出力された画像信号を、外部に出力するための出力端子である。例えば、出力端子１０６ａ〜１０６ｄは、ＳＤＩ規格に準拠するコネクタであるとする。出力端子１０６ａ〜１０６ｄから出力される画像信号は、画像信号ａ〜ｄであるとする。
【００３６】
図２（ｂ）は、表示装置２００の機能ブロックを示すブロック図である。表示装置２００は、入力端子２０１ａ〜２０１ｄ、信号分離部２０２、端子情報取得部２０３、端子決定部２０４、表示制御部２０５、表示部２０６、制御部２０７、およびメモリ２０８を備える。
【００３７】
入力端子２０１ａ〜２０１ｄは、それぞれ出力装置１００からケーブル３００を介して入力された画像信号を、受信するための入力端子である。例えば、入力端子２０１ａ〜２０１ｄは、ＳＤＩ規格に準拠するコネクタであるとする。
【００３８】
信号分離部２０２は、複数の映像信号を受信可能なレシーバーである。信号分離部２０２は、画像信号ａ〜ｄを表示制御部２０５に出力し、各画像信号に付加されたメタデータを、端子情報取得部２０３、および端子決定部２０４に出力する。
【００３９】
端子決定部２０４は、入力された画像信号がＲＡＷ画像であるか否かに応じて、表示画像を生成するために用いる画像信号を取得する入力端子を決定する回路である。端子決定部２０４は、メタデータに含まれる出力装置１００の機種を示す情報を取得する。さらに、端子決定部２０４は、取得した出力装置１００の機種を示す情報に基づいて、出力装置１００から出力された画像信号が、ＲＡＷ画像であるか否かを判定する方法を取得する。
【００４０】
端子決定部２０４は、取得したメタデータに基づいて、入力された画像信号が、ＲＡＷ画像か否かを判定する。例えば、メタデータに含まれた画素の色を指定する形式を示す情報に基づいて、入力された画像信号がＲＧＢで画素値を指定された画像データを含むか否かを判定するとする。
【００４１】
そして、端子決定部２０４は、入力された画像信号がＲＡＷ画像であるか否かに応じて、表示画像を生成するために用いる画像信号を取得する入力端子を決定する。具体的には、端子決定部２０４は、メタデータに含まれる出力装置１００の機種を示す情報に基づいて、入力された画像信号がＲＡＷ画像であるか否かに応じて、所定の入力端子を、表示画像を生成するために用いる画像信号を取得する入力端子と決定する。
【００４２】
端子決定部２０４は、取得したメタデータから、各画像信号の順番を示す情報を取得し、表示制御部２０５に出力する。
【００４３】
端子決定部２０４は、決定した結果を表示制御部２０５に出力する。
【００４４】
表示制御部２０５は、端子決定部２０４の判定結果に基づいて表示画像を生成するために用いる入力端子を選択し、選択された入力端子を介して入力された画像信号を用いて生成した表示画像に基づく画像が表示されるように表示部２０６を制御する。また、表示制御部２０５は、ＲＡＷ画像が入力された場合、ＲＡＷ現像処理を実行し表示画像を生成する。
【００４５】
表示部２０６は、表示画像に基づいて画面に画像を表示する。例えば、表示部２０６は、液晶パネルとバックライトとを備えた液晶ディスプレイであるとする。なお、表示部２０６は、スクリーンに画像を投影して表示するプロジェクタであってもよい。
【００４６】
制御部２０７は、メモリ２０８に記憶されたプログラムを実行して、表示装置２００の各機能ブロックの制御を行う演算処理回路である。例えば、制御部２０７は、ＣＰＵであるとする。制御部２０７は、表示部２０６が画像を表示する表示レイアウトを含む、表示部２０６の表示制御を行うことが可能である。
【００４７】
例えば、信号分離部２０２、端子情報取得部２０３、端子決定部２０４、および表示制御部２０５は、それぞれ異なる電子回路から構成されており、制御部２０７により動作が制御されるとする。なお、信号分離部２０２、端子情報取得部２０３、端子決定部２０４、および表示制御部２０５のうち１以上の機能ブロックの機能は、制御部２０７がプログラムを実行することにより、実現することも可能である。
【００４８】
メモリ２０８は、制御部２０７が各機能ブロックを制御するために用いるプログラムやパラメータを記憶する記憶媒体である。また、メモリ２０８は、出力装置１００の機種と、出力された画像信号がＲＡＷ画像か否かを判定するための方法との対応を示す判定テーブルを記憶するとする。メモリ２０８は、ハードディスク等の不揮発性の記憶媒体や、半導体メモリ等の揮発性の記憶媒体である。
【００４９】
図３は、判定テーブルを示す模式図である。例えば、判定テーブルには、出力装置Ａ〜Ｆが出力する画像信号が非ＲＡＷ画像であると判定するための情報が対応付けられるとする。出力装置Ａ〜Ｆは、それぞれ出力装置１００の種類を示す。
【００５０】
出力装置Ａは、ＲＡＷ画像の画像信号を出力する場合、各画素の画素値をＲＧＢ形式で指定し、非ＲＡＷ画像の画像信号を出力する場合、各画素の画素値をＹＣｂＣｒ形式で指定するとする。また、出力装置Ａが出力する画像信号は、メタデータに画像信号がＲＡＷ画像か否かを示す情報を含まないとする。さらに、出力装置Ａが出力する画像信号は、メタデータに、出力装置Ａの動作が録画中にライブビュー画像を出力するＬＶモードであるか、出力装置Ａの内部の記憶媒体に記憶された画像を再生して出力する再生モードであるかを、示す情報を含まないとする。したがって、出力装置Ａから出力された画像信号が、非ＲＡＷ画像であると判定するための情報は、各画素の画素値がＹＣｂＣｒ形式であることである。
【００５１】
出力装置Ｂは、ＲＡＷ画像の画像信号を出力する場合、各画素の画素値をＲＧＢ形式で指定し、非ＲＡＷ画像の画像信号を出力する場合、各画素の画素値をＹＣｂＣｒ形式で指定する場合と、ＲＧＢ形式で指定する場合があるとする。また、出力装置Ｂが出力する画像信号は、メタデータに画像信号がＲＡＷ画像か否かを示す情報を含まないとする。さらに、出力装置Ｂが出力する画像信号は、メタデータに、出力装置Ｂの動作がＬＶモードであるか、再生モードであるかを、示す情報を含むとする。したがって、出力装置Ｂから出力された画像信号が、非ＲＡＷ画像であると判定するための情報は、各画素の画素値がＹＣｂＣｒ形式であること、もしくは、各画素の画素値がＲＧＢ形式であり、かつ、出力装置Ｂの動作状態がプレイモードであることである。
【００５２】
出力装置Ｃは、ＲＡＷ画像の画像信号を出力する場合、各画素の画素値をＲＧＢ形式で指定し、非ＲＡＷ画像の画像信号を出力する場合、各画素の画素値をＹＣｂＣｒ形式で指定する場合と、ＲＧＢ形式で指定する場合があるとする。また、出力装置Ｃが出力する画像信号は、メタデータに画像信号がＲＡＷ画像か否かを示す情報を含まないとする。さらに、出力装置Ｃが出力する画像信号は、メタデータに、出力装置Ｃの動作がＬＶモードであるか、再生モードであるかを、示す情報を含まないとする。
【００５３】
一方で、出力装置Ｃが出力するメタデータには、画像を取得した時間を示すタイムコード情報が含まれる。タイムコード情報は、出力装置Ｃの動作がＬＶモードである場合、現時刻に近い時刻を示す。一方で、出力装置Ｃの動作が再生モードである場合、タイムコード情報は、現時刻よりも過去の時刻を示す。したがって、出力装置Ｃから出力された画像信号が、非ＲＡＷ画像であると判定するための情報は、各画素の画素値がＹＣｂＣｒ形式であること、もしくは、各画素の画素値がＲＧＢ形式であり、かつ、タイムコード情報が示す時刻が過去の時刻であることである。例えば、タイムコード情報が示す時刻が、判定時の現時刻よりも、予め決められた期間以上、過去の時刻である場合に、出力装置Ｃから出力された画像信号が、非ＲＡＷ画像であると判定するとする。
【００５４】
出力装置Ｄは、ＲＡＷ画像の画像信号を出力する場合、非ＲＡＷ画像の画像信号を出力する場合ともに、各画素の画素値をＹＣｂＣｒ形式で指定するとする。また、出力装置Ｄが出力する画像信号は、メタデータに画像信号がＲＡＷ画像か否かを示す情報を含まないとする。さらに、出力装置Ｄが出力する画像信号は、メタデータに、出力装置Ｄの動作が録画中にライブビュー画像を出力するＬＶモードであるか、出力装置Ｄの内部の記憶媒体に記憶された画像を再生して出力する再生モードであるかを示す情報を含まないとする。
【００５５】
一方で、出力装置Ｄは、ＲＡＷ画像の画像信号を出力する場合、画像信号を３Ｄ−ＳＤＩ規格に準じた信号の形式（３Ｄ−ＳＤＩ形式）で伝送するとする。また、出力装置Ｄは、非ＲＡＷ画像の画像信号を出力する場合、画像信号をＨＤ−ＳＤＩ規格に準じた信号の形式（ＨＤ−ＳＤＩ形式）で伝送するとする。したがって、出力装置Ｄから出力された画像信号が、非ＲＡＷ画像であると判定するための情報は、画像信号がＨＤ−ＳＤＩ規格に準じた形式の信号であることである。
【００５６】
出力装置Ｅは、ＲＡＷ画像の画像信号を出力する場合、非ＲＡＷ画像の画像信号を出力する場合ともに、各画素の画素値をＹＣｂＣｒ形式で指定するとする。また、出力装置Ｅが出力する画像信号がＲＡＷ画像である場合、メタデータが画像信号に含まれるとする。さらに、出力装置Ｅが出力する画像信号は、メタデータに、出力装置Ｅの動作が録画中にライブビュー画像を出力するＬＶモードであるか、出力装置Ｅの内部の記憶媒体に記憶された画像を再生して出力する再生モードであるかを、示す情報を含まないとする。したがって、出力装置Ｅから出力された画像信号が、非ＲＡＷ画像であると判定するための情報は、画像信号にメタデータが含まれないことである。
【００５７】
出力装置Ｆは、ＲＡＷ画像の画像信号を出力する場合、非ＲＡＷ画像の画像信号を出力する場合のいずれにおいても、各画素の画素値をＲＧＢ形式もしくはＹＣｂＣｒ形式で指定した画像信号を出力可能であるとする。また、出力装置Ｆが出力する画像信号は、メタデータに画像信号がＲＡＷ画像か否かを示す情報を含むとする。さらに、出力装置Ｆが出力する画像信号は、メタデータに、出力装置Ｆの動作がＬＶモードであるか、再生モードであるかを、示す情報を含むとする。但し、出力装置Ｆは、再生モードで動作している場合においても、ＲＡＷ画像の画像信号を出力することが可能である。したがって、出力装置Ｆから出力された画像信号が、非ＲＡＷ画像であると判定するための情報は、メタデータに含まれる画像信号がＲＡＷ画像か否かを示す情報である。
【００５８】
図４を用いて、表示装置２００の実行する表示画像出力フローを説明する。図４は、表示装置２００の実行する表示画像出力フローを示すフローチャートである。
【００５９】
出力装置１００が生成して出力した画像信号ａ〜ｄが、ＲＡＷ画像の画像信号である場合、表示装置２００がＲＡＷ現像を行って表示画像を生成する設定になっている場合について説明する。
【００６０】
表示制御処理は、各入力端子に映像信号が入力された場合、もしくは、ユーザが表示装置２００に画像を表示することを指示した場合に開始されるものとする。また、端子決定部２０４は、信号分離部２０２から取得したメタデータに基づいて出力装置１００が出力装置Ａに対応する機種であると判定しているとする。したがって、図３より、端子決定部２０４が、画像信号が非ＲＡＷ画像であるか否かを判定する情報は、画像信号の各画素の画素値がＹＣｂＣｒ形式であることである。
【００６１】
Ｓ４０１で、端子決定部２０４は、４つの入力端子のいずれかにＲＡＷ信号が入っているか否かを判定する。端子決定部２０４は、取得したメタデータに基づいて、入力された画像信号が、ＲＡＷ画像か否かを判定する。具体的には、端子決定部２０４メタデータに含まれた画素の色を指定する形式を示す情報に基づいて、入力された画像信号がＲＧＢで画素値を指定された画像データを含むか否かを判定するとする。端子決定部２０４は、入力された画像信号の各画素の画素値がＹＣｂＣｒ形式である場合、画像信号はＲＡＷ画像でないと判定する。処理は、Ｓ４０３に進む。また、端子決定部２０４は、入力された画像信号の各画素の画素値がＹＣｂＣｒ形式である場合、画像信号はＲＡＷ画像であると判定する。処理は、Ｓ４０３に進む。
【００６２】
Ｓ４０２で、端子決定部２０４は、表示画像を生成するために用いる画像信号を取得する入力端子を決定する。端子決定部２０４は、端子情報取得部２０３から取得した順番を示す情報や、メタデータに含まれる端子情報を用いて、表示画像を生成するために用いる画像信号を取得する入力端子を決定する。端子決定部２０４は、ＲＡＷ画像が出力された場合に、原画像に対応する表示画像を生成するために使用可能な入力端子を示す情報が予め記憶された判定テーブルを参照して、入力端子を選択してもよい。また、表示制御部２０５が、画像信号を解析して、異なる画像からなる画像信号が入力された入力端子をそれぞれ選択するものであってもよい。処理は、Ｓ４０３に進む。
【００６３】
Ｓ４０３で、表示制御部２０５は、決定された入力端子に入力された画像信号に対してＲＡＷ現像処理を実行し、表示画像を生成する処理を実行する。
【００６４】
Ｓ４０４で、端子決定部２０４は、複数の入力端子２０１ａ〜ｄに、複数の画像信号が入力されたか否かを判定する。具体的には、端子決定部２０４は、入力された画像信号のうち、少なくとも１つが他と異なるか否かを判定する。入力された画像信号のうち、少なくとも１つが他と異なる場合は、例えば、４Ｋ（３８４０×２１６０）画像が、非ＲＡＷ画像の画像信号で伝送される（４Ｋ画像伝送）場合である。４Ｋ画像伝送である場合、Ｓ４０５へ進む。
【００６５】
ここで、端子決定部２０４は、３端子以上に互いに異なる画像信号が入力されている場合は、４Ｋ画像の伝送であると判定することができるとする。また、端子決定部２０４は、メタデータに基づいて、同一のＨＤ映像が入っているか、異なる映像が入っているかを判定することも可能である。なお、この判定は、表示制御部２０５が、画像信号を解析して実行することも可能である。
【００６６】
Ｓ４０５で、表示制御部２０５は、４Ｋ画像が伝送されている全ての入力端子を、表示画像を生成するために使用する入力端子として決定し、当該入力端子に入力された画像信号を全て用いて、表示画像を生成する。
【００６７】
また、Ｓ４０４で、複数の入力端子２０１ａ〜ｄに互いに同一の画像信号が入力されている場合、端子決定部２０４は、ＨＤ伝送であると判定し、処理は、Ｓ４０６に進む。Ｓ４０６で、表示制御部２０５は、複数の入力端子のうち任意の１つの入力端子を、表示画像を生成するために使用する入力端子として決定し、当該入力端子に入力された画像信号に基づいて表示画像を生成する。
【００６８】
Ｓ４０７で、表示制御部２０５は、生成した表示画像に基づく画像が表示されるように、表示部２０６を制御する。
【００６９】
上述の表示装置によれば、複数の入力端子を介して入力された複数の画像信号がＲＡＷ画像か否かに応じて、表示画像を生成するために用いる画像信号を取得する入力端子を決定することが可能となる。したがって、複数の入力端子を備える表示装置であって、入力される画像のデータ形式が変更したことに応じて、表示用の画像の生成に必要な伝送路を切換えることが可能となる。
【００７０】
上述の処理によれば、ＲＡＷ信号と非ＲＡＷ信号の切り替わりを、メタ信号や伝送されている信号がＲＧＢかＹＣｂＣｒかに基づいて判定する。さらに、どの端子で伝送された信号を用いればいいかを自動的に識別し、ＲＡＷ現像および表示端子を自動選択することにより、表示に使用する画像信号を受信する端子をユーザの操作なしに自動で切り換えることが可能となる。
【００７１】
なお、本実施例では、画像信号に重畳されたメタデータに含まれる出力装置の機種を示す情報に基づいて、表示装置がＲＡＷ画像か否かを判定する方法を特定したが、出力装置の機種を特定する方法は、これに限らない。例えば、表示装置の表示部にメモリに記憶された判定テーブルに記載された出力装置の種類を選択するためのＧＵＩを表示し、ユーザが表示装置に設けられた操作部材を介してＧＵＩを操作して、出力装置の機種を特定することも可能である。また、出力装置の種類でなく、ＲＡＷ画像か否かの判定方法を、ユーザが、ＧＵＩや操作部材を用いて直接入力することも可能である。
【００７２】
（その他の実施例）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。また、上述のプログラムが格納されたコンピュータが読取り可能な記憶媒体も、本発明の一つである。
【符号の説明】
【００７３】
２００  表示装置
２０１  入力端子
２０２  信号分離部
２０３  端子決定部
２０４  表示制御部
２０５  表示部
【図１】
2018151482.tif 000003
【図２】
2018151482.tif 000004
【図３】
2018151482.tif 000005
【図４】
2018151482.tif 000006